【手続補正書】
【提出日】平成15年7月25日(2003.7.25)
【手続補正１】
【補正対象書類名】明細書
【補正対象項目名】特許請求の範囲
【補正方法】変更
【補正の内容】
【特許請求の範囲】
【請求項１】
キャップと、プランジャーと、キャビティ及び外面を持つベースと、プランジャーの移動に抵抗するためのスナップ手段と、内部の少なくとも一つの非経口薬剤の加圧流体流れを患者の皮膚を通して注射するための注射カプセルとを含む、手動式注射器装置において、
前記キャップ内の中央に配置されるとともに前記注射カプセルに対して移動自在の中央フィンガと、
太い環状プランジャー内の中央に配置された細いプランジャーであって、この細いプランジャーは前記太い環状プランジャーとは独立してかつ同時に移動でき、前記細いプランジャー及び前記太い環状プランジャーは複合プランジャーを形成し、前記ベース内に配置された前記注射カプセルの一部を形成する、細いプランジャーと、
細い注射オリフィスを一端に有し、液体薬剤を収納するとともに前記注射カプセルの一部を形成する投与カプセルとを備え、
前記細いプランジャーは、先ず最初に、中央フィンガからの一回の力によって前記太い環状プランジャーを通って下方に移動し、これと同時に前記投与カプセルを患者の皮膚に対してシールし、力を下方に加え続けることにより、次いで、前記細いプランジャーを前記太い環状プランジャーと共に移動し、所定容積の薬剤を高圧の作用で圧送し、患者の皮膚を通して経路を形成し、これによって投与カプセルの液体薬剤内に生じる高圧が、液体薬剤とキャップとの間に介在された細いプランジャーによって太いプランジャーから隔離され、この高圧によって下方に移動するフィンガーに対抗する力が加わることはなく、これによりその動きが係止されて液体薬剤の注射を完了させることができる、注射器装置。
【請求項２】
請求項１に記載の注射器装置において、前記スナップ手段は内部に配置されたブレークタブであり、手で加えられた圧力で降伏する、注射器装置。
【請求項３】
請求項２に記載の注射器装置において、前記ブレークタブにより、前記キャップの前記中央フィンガを前記細いプランジャーにぶつけることができる、注射器装置。
【請求項４】
請求項３に記載の注射器装置において、手で圧力を加え続けることにより、前記細いプランジャーを前記太い環状プランジャーを通して前記キャップの前記中央フィンガが前記太い環状プランジャーの頂部に当たるまで駆動し、表皮を通る経路を穿孔する、注射器装置。
【請求項５】
請求項４に記載の注射器装置において、前記キャップの前記中央フィンガが、細いプランジャー及び太いプランジャーからなる複合プランジャーを前記オリフィスに向かって駆動し、薬剤の大部分を前記注射軌道を通して送出する、注射器装置。
【請求項６】
請求項１に記載の注射器装置において、移動自在の隔壁を含むばね補助ホルダの内側に前記装置を配置した、注射器装置。
【請求項７】
請求項６に記載の注射器装置において、前記移動自在の隔壁は、ばねによって前記ばね補助ホルダに取り付けられている、注射器装置。
【請求項８】
請求項７に記載の注射器装置において、前記ばねは金属製コイルばねである、注射器装置。
【請求項９】
請求項８に記載の注射器装置において、前記ばねはガスばねである、注射器装置。
【請求項１０】
請求項７に記載の注射器装置において、前記ばね補助ホルダを患者の皮膚に向かって移動し、前記ばねに張力を加える、注射器装置。
【請求項１１】
請求項１０に記載の注射器装置において、前記ばねはコイルばねであり、前記ブレークタブが降伏するまで張力が加えられる、注射器装置。
【請求項１２】
請求項１１に記載の注射器装置において、張力が加えられたコイルばねに蓄えられた力により、前記移動自在の隔壁にパワーストロークを完了させ、これによって薬剤を送出する、注射器装置。
【請求項１３】
請求項１に記載の注射器装置において、前記中央フィンガは中空である、注射器装置。
【請求項１４】
請求項１３に記載の注射器装置において、前記中央フィンガは移動自在の部材を含む、注射器装置。
【請求項１５】
請求項１４に記載の注射器装置において、前記移動自在の部材はばね負荷されている、注射器装置。
【請求項１６】
請求項１５に記載の注射器装置において、前記ばねは前記中空中央フィンガと前記移動自在の部材との間に配置されたコイルばねである、注射器装置。
【請求項１７】
請求項１６に記載の注射器装置において、十分な力を前記キャップに加えることによりばねを圧縮し、ブレークタブを降伏させる、注射器装置。
【請求項１８】
請求項１７に記載の注射器装置において、前記圧縮ばねは前記移動自在の部材を押圧して前記細いプランジャーの頂部と接触させる、注射器装置。
【請求項１９】
請求項１８に記載の注射器装置において、前記細いプランジャーの下端は前記太い環状プランジャーを通ってこの太い環状プランジャーの底部まで移動し、複合プランジャーを形成する、注射器装置。
【請求項２０】
請求項１９に記載の注射器装置において、前記複合プランジャーは前記オリフィスに向かって移動し、前記コイルばねの力によって前記オリフィスを通して前記薬剤を送出する、注射器装置。
【請求項２１】
請求項１に記載の注射器装置において、前記キャップはコッキングタブを含む、注射器装置。
【請求項２２】
請求項２１に記載の注射器装置において、前記コッキングタブは、駆動穴を持つ重量のある端部を備えた揺動レバーに押し付けられている、注射器装置。
【請求項２３】
請求項２２に記載の注射器装置において、前記揺動レバーは支点を中心として回転し、コイルばねに張力を発生する、注射器装置。
【請求項２４】
請求項２３に記載の注射器装置において、前記コイルばねは、前記支点が通るポストに対して所定位置に保持されている、注射器装置。
【請求項２５】
請求項２４に記載の注射器装置において、前記中央フィンガは前記揺動レバーの先端にあり、横方向ロッドを有する、注射器装置。
【請求項２６】
請求項２５に記載の注射器装置において、前記横方向ロッドは前記駆動穴に配置される、注射器装置。
【請求項２７】
請求項２６に記載の注射器装置において、前記中央フィンガ及び横方向ロッドが注射カプセルの細いプランジャーに力を伝達する、注射器装置。
【請求項２８】
請求項２１に記載の注射器装置において、前記コッキングタブが前記揺動レバーに押し付けられることにより、前記コッキングタブが前記揺動レバーから離れるまで前記揺動レバーを前記支点を中心として回転する、注射器装置。
【請求項２９】
請求項２８に記載の注射器装置において、前記揺動レバーは、前記支点を中心としたその回転とは反対方向にスナップ作用で戻る、注射器装置。
【請求項３０】
請求項２９に記載の注射器装置において、前記揺動レバーの重量のある端部が前記細いプランジャーを前記中央フィンガを介して押す、注射器装置。
【請求項３１】
請求項３０に記載の注射器装置において、前記細いプランジャーは、前記太いプランジャーを通って移動し、複合プランジャーを形成する、注射器装置。
【請求項３２】
請求項３１に記載の注射器装置において、前記複合プランジャーは前記注射カプセルのオリフィスに向かって駆動され、前記薬剤の大部分を送出する、注射器装置。
【請求項３３】
請求項１に記載の注射器装置において、前記注射カプセル以外の前記注射器装置が再使用可能である、注射器装置。
【請求項３４】
請求項３３に記載の注射器装置において、前記スナップ手段は、前記ベースの周囲を周方向に延びるスナップリングであり、前記キャップの内面に設けられた同様の形状の領域と係合する、注射器装置。
【請求項３５】
請求項３４に記載の注射器装置において、前記スナップリングは、前記キャップが前記ベース上で引き戻される場合に再係合する、注射器装置。